(57)【要約】【課題】装着感が良好な身体装着具を提供すること。【解決手段】身体装着具１は、使用時に着用者の肌に対向する肌側シート２と、使用前は包材として機能し且つ使用時に外方を向く最外側シート３とを有する。最外側シート３は、身体装着具の使用前の状態においては肌側シート２を内包するように最外側シート３の外縁部どうしが剥離可能に接合しており、最外側シート３の外縁部どうしの剥離可能接合部を引き剥がして使用する。最外側シート３と肌側シート２とが剥離不可能に部分接合している。【選択図】図１
2012005790.tif 000002
【特許請求の範囲】
【請求項１】
使用時に着用者の肌に対向する肌側シートと、使用前は包材として機能し且つ使用時に外方を向く最外側シートとを有し、
前記最外側シートは、使用前の状態においては前記肌側シートを内包するように該最外側シートの外縁部どうしが剥離可能に接合しており、該最外側シートの外縁部どうしの剥離可能接合部を引き剥がして使用する身体装着具であって、
前記最外側シートと前記肌側シートとが剥離不可能に部分接合している身体装着具。
【請求項２】
前記肌側シートが該最外側シートによって内包されるように折り畳まれている請求項１記載の身体装着具。
【請求項３】
前記最外側シートが非通気性シートであり、前記肌側シートが通気性シートであり、
該最外側シートと該肌側シートとの間に、被酸化性金属を含む発熱部が配置されており、
使用前の状態においては前記剥離可能接合部が連続且つ気密に形成され、該剥離可能接合部によって前記発熱部への空気の流入が遮断され、且つ、
該剥離可能接合部を引き剥がした状態においては、該最外側シートと該肌側シートとの剥離不能部分接合部間に位置する非接合部を通じて外部から該発熱部へ空気の流入が可能である請求項１又は２記載の身体装着具。
【請求項４】
前記身体装着具を使用者の身体に固定するための取り付け部を有し、
該取り付け部が使用前の状態においては前記肌側シートとともに前記最外側シートによって内包されている請求項１ないし３のいずれか一項に記載の身体装着具。
【発明の詳細な説明】
【技術分野】
【０００１】
本発明は、マスクやカイロなど、使用者の身体に取り付けられて使用される身体装着具に関する。
【背景技術】
【０００２】
いわゆる使い捨てカイロは、発熱手段として、鉄粉の酸化反応によって生じる熱を利用している。したがって、カイロの使用前には、これを酸素バリア性の外装袋内に入れて密封し、カイロが空気と接触しないようにしておく必要がある。使用に際しては外装袋を開封し、取り出したカイロを下着や肌に当接させる。開封された袋は廃棄される。しかし、昨今の省資源・エコロジーの観点から、廃棄物が極力生じないようにすることが望まれている。
【０００３】
前記の観点から、特許文献１においては、通気性シート３と非通気性シート４からなる、内部に発熱材１が封入された袋体２を、通気性シート３が内側になるよう中央部分で折り曲げて二つ折りにした使い捨てカイロが提案されている。このカイロにおいては、通気性シート３における折り曲げ部分を除く互いに対向する縁部同士を剥離可能に熱圧着して密封状の外装レス包装形態とする。そして、使用に際しては、二つ折り状の袋体２’の縁部同士を引き剥がし展開する。類似の構成の使い捨てカイロは、例えば特許文献２及び３にも記載されている。
【先行技術文献】
【特許文献】
【０００４】
【特許文献１】特開２００８−１１９０９０号公報
【特許文献２】特開２００７−２９６０６０号公報
【特許文献３】特開２００７−２９６０６１号公報
【発明の概要】
【発明が解決しようとする課題】
【０００５】
前記の各特許文献に記載の技術においては、使用前の状態において外部から空気が流入しないようにするために、最外側シートとして非通気性シートが用いられている。カイロを長期にわたって保存した後であっても、発熱材の劣化が生じないようにするためには、非通気性シートとして酸素バリア性が十分に高いシートを用いる必要がある。そのようなシートとしては、例えばアルミニウム等の金属をラミネートした樹脂シートがしばしば用いられる。しかし、そのようなラミネートシートは硬い感触を有するものなので、そのようなシートを備えたカイロを使用者の肌に直接触れるように用いると、該シートの硬さに起因して良好な装着感が得られない。金属ラミネートシートに代えて、多層構造の樹脂シートを用いることも考えられるが、多層構造であることに起因して、やはりシートの硬さが目立ってしまう。
【０００６】
したがって本発明の課題は、前述した従来技術が有する欠点を解消し得る身体装着具を提供することにある。
【課題を解決するための手段】
【０００７】
前記の課題を解決すべく、本発明者らは鋭意検討した結果、最外側シートと肌側シートとを特定の様式で接合することで、最外側シートとして硬いシートを用いた場合であっても、該シートの硬さを知覚しづらくなることを知見した。
【０００８】
本発明は前記の知見に基づきなされたものであり、使用時に着用者の肌に対向する肌側シートと、使用前は包材として機能し且つ使用時に外方を向く最外側シートとを有し、
前記最外側シートは、使用前の状態においては前記肌側シートを内包するように該最外側シートの外縁部どうしが剥離可能に接合しており、該最外側シートの外縁部どうしの剥離可能接合部を引き剥がして使用する身体装着具であって、
前記最外側シートと前記肌側シートとが剥離不可能に部分接合している身体装着具を提供することで、前記の課題を解決したものである。
【発明の効果】
【０００９】
本発明の身体装着具によれば、最外側シートと肌側シートとを剥離不可能に部分接合したので、接合部間に位置する非接合部における肌側シートが最外側シートから浮き上がって、浮き上がった肌側シートが肌と接するようになり、身体装着具の装着感が良好になる。また最外側シートが包材としても機能するので、使用時の廃棄物の発生が抑えられ、廃棄物の廃棄等の後片付けの手間が低減される。
【図面の簡単な説明】
【００１０】
【図１】図１（ａ）は、本発明の身体装着具の第１の実施形態としての発熱具を示す平面図であり、図１（ｂ）は、図１（ａ）におけるｂ−ｂ線断面図であり、図１（ｃ）は、図１（ａ）に示す発熱具を開封して展開した状態を内面側からみた平面図であり、図１（ｄ）は、図１（ａ）に示す発熱具を開封する状態を示す図である。
【図２】図２（ａ）及び（ｂ）は、本発明の身体装着具の第２及び第３の実施形態としての発熱具を開封して展開した状態を内面側からみた平面図（図１（ｃ）相当図）である。
【図３】図３（ａ）は、本発明の身体装着具の第４の実施形態としての発熱具を開封して展開した状態を内面側からみた平面図（図１（ｃ）相当図）であり、図３（ｂ）は図３（ａ）に示す身体装着具の使用状態を示す平面図である。
【図４】図４（ａ）は、本発明の身体装着具の第５の実施形態としての発熱具を開封して展開した状態を内面側からみた平面図（図１（ｃ）相当図）であり、図４（ｂ）は、図４（ａ）に示す発熱具における取り付け部を１８０度上側に反転させた状態を示す平面図である。
【図５】図５（ａ）及び（ｂ）は、図４（ａ）及び（ｂ）に示す発熱具の使用時の取り付け状態を示す断面図である。
【図６】図６（ａ）は、本発明の身体装着具の第６の実施形態としての発熱具を開封して展開した状態を内面側からみた平面図（図１（ｃ）相当図）であり、図６（ｂ）は、図６（ａ）に示す発熱具における取り付け部を１８０度側方に反転させた状態を示す平面図である。
【図７】図７（ａ）は、本発明の身体装着具の第７の実施形態としてのマスクを示す平面図であり、図７（ｂ）は、図７（ａ）におけるｂ−ｂ線断面図であり、図７（ｃ）は、図７（ａ）に示すマスクを開封して展開した状態を内面側からみた平面図である。
【発明を実施するための形態】
【００１１】
以下本発明を、その好ましい実施形態に基づき図面を参照しながら説明する。図１（ａ）ないし（ｄ）には、本発明の身体装着具の第１の実施形態としての発熱具が示されている。この発熱具１は、これを例えば使用者の両眼に当接させて、目の疲れをとったり、リラックス感を付与したり、目の隈をとったりする目的で用いられる。図１（ｂ）ないし（ｄ）に示すように、発熱具１は、本体部１Ａと該本体部１Ａを身体に固定するための取り付け部１Ｂとを有している。図１（ｃ）に示すように、図１（ａ）に示す状態の発熱具１を展開した使用状態において、本体部１Ａは、長手方向Ｘとこれに直交する幅方向Ｙを有する横長の形状をしている。本体部１Ａは、発熱具１の使用時に使用者の肌に対向する肌側シート２と、発熱具１の使用時に外方を向く外面を構成する最外側シート３とを有している。最外側シート３は、発熱具１の使用前（保存中）の状態においては、発熱具１の包材としても機能する。
【００１２】
最外側シート３は、肌側シート２の外縁から外方に延出する外縁延出部３ａを有している。外縁延出部３ａは、肌側シート２を取り囲んでいる。肌側シート２と最外側シート３とは、肌側シート２の外縁域において部分接合によって剥離不可能に接合されている。図１（ｃ）では、この剥離不能接合部が符号８で示されている。また、剥離不能接合部８は、幅方向Ｙに延びる折り線Ｆに沿っても形成されている。各剥離不能接合部８は、一方向に延びる線状の形状をしている。隣り合う剥離不能接合部８の間の部位は非接合部９となっている。非接合部９はもちろん剥離不能接合部８以外の全領域において、最外側シート３と肌側シート２とが非接合状態になっている。
【００１３】
本体部１Ａにおいては、複数の剥離不能接合部８の形成によって断続的な外縁に囲まれた略矩形の領域が２つ形成され、各領域内に発熱部４が１つずつ配置されている。発熱部４は、本体部１Ａの長手方向Ｘに沿って並列配置されている。
【００１４】
肌側シート２としては、通気性を有するシート材料が用いられる。肌側シート２は、本実施形態の発熱具の使用時に肌に対向する部材なので、風合いの良好な材料から構成されていることが好ましい。そのような材料としては、例えば各種の不織布を用いることができる。
最外側シート３としては、非通気性のシート材料が用いられる。最外側シート３は、本実施形態の発熱具において、その使用前は包材として機能するものなので、遮蔽性を有することが望ましい。その観点から、最外側シート３としては、酸素バリア性を有する樹脂シートが好ましく、中でもアルミニウム等の金属がラミネートされた樹脂シートであれば、遮光性等も有する点から特に好ましい。
発熱部４は、被酸化性金属粉、反応促進剤、電解質及び水を含んでいる。発熱部４は、被酸化性金属が酸素と接触することによる酸化反応で生じた熱を利用して発熱する部位である。発熱部４は、例えば粉体組成物であるか、又はシート状の成形体であり得る。発熱部４がいずれの形態であっても、必要に応じて該発熱部４を、通気性を有する多孔性フィルムで被覆して、該発熱部４の構成材料の脱落を防ぐようにしておいてもよい。
【００１５】
図１（ａ）に示す状態の発熱具１を展開した使用状態において、本体部１Ａの幅方向Ｙに沿った各側縁部５の位置における本体部１Ａの内面に、取り付け部１Ｂが取り付けられている。取り付け部１Ｂは紐部材から構成されており、その両端が、本体部１Ａの幅方向Ｙに沿って側縁部５にループ状に固定されている。ループ状の取り付け部１Ｂは、これを使用者の耳に掛けることで、本体部１Ａを両眼に当接させた状態を維持する目的で用いられる。したがって、この目的のために、紐部材に代えて、帯部材を用いて取り付け部１Ｂを構成してもよい。取り付け部１Ｂの両端部の固定位置は、本体部１Ａの内面における肌側シート２上であって良い。取り付け部１Ｂは、それが紐部材か、それとも帯部材であるかを問わず、伸縮性を有していることが好ましい。
【００１６】
図１（ｃ）に示す状態の本体部１Ａは、発熱具１の使用前（保存中）の状態においては、幅方向Ｙに延びる折り線Ｆに沿って二つ折りされている。折り線Ｆは、本体部１Ａを左右に二分するように位置している。先に述べた発熱部４は、折り線Ｆを挟んで左右対称の位置に配置されている。本体部１Ａが二つ折りされて図１（ａ）に示す状態になったとき、本体部１Ａにおける折り線Ｆの左半部の外縁と右半部の外縁とは完全に重なり合っている。
【００１７】
図１（ｃ）に示す状態の本体部１Ａを二つ折りする場合、肌側シート２が内側になるように二つ折りされる。このとき、取り付け手段１Ｂを、本体部１Ａの肌側シート側に位置させた状態で該本体部１Ａを折り畳む。本体部１Ａが二つ折りされて図１（ａ）に示す状態になったとき、取り付け手段１Ｂは本体部１Ａの内部に完全に内包され、外方には全く露出していない。同様に、本体部１Ａの内面、つまり肌側シート２も、本体部１Ａの内部に完全に内包され、外方には全く露出していない。先に述べたとおり、本体部１Ａを構成する最外側シート３は、肌側シート２よりも大きいものなので、取り付け手段１Ｂや肌側シート２が本体部１Ａに内包されるということは、換言すれば、取り付け手段１Ｂや肌側シート２は最外側シート３に内包されることになる。
【００１８】
二つ折りに折り畳まれた状態の本体部１Ａは、その折り畳み状態が維持されるように、折り畳まれた状態の該本体部１Ａにおける対向面の少なくとも一部が開封可能に固定されている。詳細には、二つ折りされた状態の本体部１Ａにおける、外縁部の全域が剥離可能に接合されて剥離可能接合部６が形成され、これによって本体部１Ａの二つ折り状態が維持されている。本実施形態においては、肌側シート６を内包するように、最外側シート３の外縁部どうしが剥離可能に接合している。この接合部位は、最外側シート３のうち、肌側シート２の外縁から外方に延出した延出域である外縁延出部３ａに存在している。
【００１９】
二つ折りされた状態の本体部１Ａにおける、対向する外縁延出部３ａどうしの接合は連続にかつ気密に行われる。こうすることによって、発熱具１の使用前において、剥離可能接合部６によって外部から発熱部４への空気の流入が確実に遮断され、上述した被酸化性金属粉と空気（酸素）との接触を確実に防止することができ、発熱具１の使用前における被酸化性金属粉の酸化を確実に防止することができる。この観点から、剥離可能接合部６の形成には、例えば接着剤による接着、熱融着、超音波接合等を用いることができる。
【００２０】
以上のとおりの構成を有する発熱具１によれば、包材として機能する最外側シート３が本来的に有する硬さが、該最外側シート３と肌側シート２とを部分接合することで知覚しづらくなり、発熱具１の装着感が良好になる。その上、その使用前の状態においては、剥離可能接合部６の形成によって発熱部４に含まれる被酸化性金属と外気との接触が確実に断たれているので、発熱具１の発熱特性の劣化が効果的に防止されている。しかも、包材としても機能する最外側シート３を用いているので、酸素バリア性の外装袋等に別途発熱具１を密封収容して保存する必要もない。更に、取り付け部１Ｂは、二つ折りされた本体部１Ａの内側に内包されるので、発熱具１の外観がすっきりしたものとなり、見映えが良好になり、衛生的でもある。
【００２１】
最外側シート３の硬さを一層知覚しづらくする観点から、最外側シート３と肌側シート２とを接合する剥離不能接合部８の接合位置は、肌側シート２の外縁から１ｍｍ以上内側、特に３ｍｍ以上内側とすることが好ましい。隣り合う剥離不能接合部８の距離は、肌側シート２の浮き上がりによる良好な肌触りを顕著なものとする観点から、１〜２０ｍｍとすることが好ましい。３〜１０ｍｍとすることが特に好ましい。
【００２２】
また、折り線Ｆに沿って形成されている剥離不能接合部８に関しては、その端部が、肌側シート２の外縁から３ｍｍ以上内側に位置していることが好ましい。こうすることで、本体部１Ａを二つ折りして、剥離可能接合部６によって連続接合を行った場合、気密性を保ちやすくなる。
【００２３】
図１（ｄ）には、図１（ａ）及び（ｂ）に示す状態の発熱具１を使用する直前の状態が示されている。発熱具１を使用するときには、本体部１Ａの左半部と右半部とを接合している剥離可能接合部６を引き剥がして、本体部１Ａを図１（ｃ）に示す状態となるように開封する。こうすることで、二つ折りされた本体部１Ａの内側に内包されていた取り付け部１Ｂが露出する。また、発熱部４に含まれている被酸化性金属粉と空気との接触が開始され、発熱を起こり始める。この取り付け部１Ｂを左右の耳に掛け、かつ本体部１Ａを両眼に当接させることで、発熱部１の取り付け状態が完成する。取り付け部１Ｂを左右に引っ張ることで、本体部１Ａの非接合部９における肌側シート２の浮き上がりが一層顕著になり、発熱具１の装着感が一層良好になる。
【００２４】
発熱部４への空気の流入は、肌側シート２を通じてなされる。これに加えて、剥離不能接合部８間に位置する非接合部９を通じても外部から発熱部４へ空気の流入が可能である。肌側シート２が使用者の肌に密着している場合は、肌側シート２を通じての空気の流入が妨げられやすいことがあるので、非接合部９を通じて空気の流入が可能になっている本実施形態の発熱具１は、安定した発熱特性を得ることができるという利点がある。この利点を更に顕著なものにするために、発熱部４のうち、最外側シート３との対向面の一部を、該最外側シート３と接合固定することが好ましい。あるいは、発熱部４のうち、肌側シート２との対向面の一部を、該肌側シート２と接合固定することが好ましい。
【００２５】
次に、本発明の第２ないし第７の実施形態について、図２ないし図７を参照しながら説明する。これらの実施形態について、特に説明しない点に関しては、先に詳述した第１の実施形態に関する説明が適宜適用される。また、図２ないし図７において、図１と同じ部材には同じ符号を付してある。
【００２６】
図２（ａ）及び（ｂ）に示す第２及び３の実施形態は、第１の実施形態と同様に発熱具に係るものである。これらの実施形態においては、最外側シート３と肌側シート２とを接合する剥離不能接合部８が、本体部１Ａの幅方向Ｙに沿ってのみ形成されている。図２（ａ）に示す実施形態においては、肌側シート２の長手方向Ｘの両端部に、幅方向Ｙに沿って剥離不能接合部８が形成されている。取り付け部１Ｂは、該本体部１Ａに固定されている。具体的には、取り付け部１Ｂを構成する紐状の部材の端部は剥離不能接合部８において肌側シート２に固定されている。取り付け部１Ｂの肌側シート２への固定方法としては、粘着剤で貼り付けても、熱融着により接合してもよい。また、幅方向Ｙに延びるスリーブ状の空間が形成されるように剥離不能接合部８を形成し、該空間内に紐状取り付け部１Ｂを構成する紐状の部材を通すことにより、取り付け部１Ｂを該本体部１Ａに固定してもよい。図２（ｂ）に示す実施形態では、肌側シート２の長手方向Ｘの両端部に、幅方向Ｙに沿って剥離不能接合部８が形成されていることに加え、折り線Ｆに沿って１本の剥離不能接合部８が形成されている。両端部に形成されている一対の剥離不能接合部８の長さは、図２（ａ）に示す実施形態よりも短くなっている。その代わりに、図２（ｂ）に示す実施形態においては、取り付け部１Ｂを構成する紐状の部材の端部が、肌側シート２のみに固定されている。これらの実施形態によれば、最外側シート３の硬さが一層知覚しづらくなり、発熱具１の装着感が一層良好になる。
【００２７】
図３（ａ）及び（ｂ）に示す第４の実施形態の発熱具１は、剥離不能接合部８の形態は、先に説明した図２（ａ）に示す実施形態と同様である。本実施形態が、図２（ａ）に示す実施形態と異なる点は、（ｉ）最外側シート３に、折り線Ｆに沿ってミシン目等の切断誘導線（図示せず）が形成されている点、及び（ｉｉ）肌側シート２が、少なくとも長手方向Ｘに沿って伸縮性を有している点である。
【００２８】
本実施形態の発熱具１を使用する場合には、まず図３（ａ）に示す状態の本体部１Ａを長手方向Ｘに沿って引っ張る。こうすることで、最外側シート３に形成されている切断誘導線（図示せず）に沿って該最外側シート３が切断されて左右に二分される。引き続き本体部１Ａを長手方向Ｘに沿って引っ張ると、肌側シート２が伸長して図３（ｂ）に示す状態になる。この状態下に、各取り付け部１Ｂを耳に掛けることで装着状態が完成する。本実施形態によれば、良好な装着感が得られることに加えて、肌側シート２の伸長に起因して良好なフィット性も得られる。
【００２９】
上述の有利な効果を一層顕著なものとする観点から、発熱部４のうち、最外側シート３との対向面の一部を、該最外側シート３と接合固定することが好ましい。例えば、発熱部４を、Ｙ方向の中心線に沿って間欠的に最外側シート３と固定することができる。
【００３０】
図４（ａ）及び（ｂ）に示す第５の実施形態の発熱具１は、本体部１Ａと、取り付け部１Ｃとを具備している。本体部１Ａの構成は、第１の実施形態と同様になっている。取り付け部１Ｃの構成は、第１の実施形態と異なる。その詳細は以下のとおりである。
【００３１】
取り付け部１Ｃは、矩形のシート状部材から構成されている。シート状部材から構成される取り付け部１Ｃは、本体部１Ａの内面、すなわち肌側シート２が配されている側の面の少なくとも一部を覆うように該本体部１Ａに固定されている。具体的には、図４（ａ）に示すように、取り付け部１Ｃは、本体部１Ａの内面の略上半部を覆っている。取り付け部１Ｃの長手方向Ｘの長さは、本体部１Ａにおける肌側シート２の長手方向Ｘの長さと略一致している。
【００３２】
矩形をしている取り付け部１Ｃは、その長手方向を本体部１Ａの長手方向Ｘと一致させて本体部１Ａに固定されている。取り付け部１Ｃは、その長手方向の一辺が、本体部１Ａにおける肌側シート２の上辺の位置と一致するように、該肌側シート２の上辺域に固定されている。
【００３３】
図４（ｂ）は、図４（ａ）に示す展開状態の発熱具１において、取り付け部１Ｃを１８０度上側に反転させた状態を示している。同図に示すように、取り付け部１Ｃは、その２つの面のうち、本体部１Ａの内面と対向する面（以下「本体部対向面」という。）に、粘着剤が塗布されて形成された粘着部７を有している。粘着部７は、本体部対向面の全域に形成されている。本体部対向面と対向する本体部１Ａの内面には、剥離処理が施されており、取り付け部１Ｃの本体部対向面が、本体部１Ａの内面から容易に剥離できるようになっている。
【００３４】
図４（ａ）に示す状態の本体部１Ａは、幅方向Ｙに延びる折り線Ｆに沿って二つ折りされる。このとき、取り付け手段１Ｃを、本体部１Ａの肌側シート側に位置させた状態で該本体部１Ａを折り畳む。そして、本体部１Ａが二つ折りされた状態になったとき、取り付け手段１Ｃは本体部１Ａの内部に完全に内包され、外方には全く露出していない。同様に、本体部１Ａの内面、つまり肌側シート２も、外方には全く露出していない。その結果、発熱具１は、先に説明した実施形態における図１（ａ）に示す状態と同じになる。
【００３５】
本実施形態の発熱具１を使用する場合には、先に述べた図１（ａ）に示す状態から、本体部１Ａの左半部と右半部とを接合している剥離可能接合部６を引き剥がして、図４（ａ）に示す状態に開封した後、例えば図５（ａ）に示すように、取り付け手段１Ｃを１８０度上方に折り返して粘着部７を露出させる。そして露出した粘着部７を使用者の肌又は下着等の着衣に当接させて、発熱具１を固定すればよい。あるいは、図４（ａ）に示す状態に開いた後、図５（ｂ）に示すように、取り付け手段１Ｃと本体部１Ａとの間に、着衣のへりＨの部分を挟み込み、この挟み込みと粘着部７によって発熱具１を固定すればよい。着衣のへりＨとしては、例えばショーツのウエスト開口部等を利用できる。
【００３６】
図６（ａ）及び（ｂ）に示す第６の実施形態は、上述した第５の実施形態と取り付け部の構成が異なる以外は、第５の実施形態と同様になっている。本実施形態の発熱具１における取り付け部１Ｄは、図６（ａ）に示すように、２枚の矩形のシート状部材から構成されている。シート状部材から構成される各取り付け部１Ｄは、本体部１Ａの内面、すなわち肌側シート２が配されている側の面の少なくとも一部を覆うように該本体部１Ａに固定されている。具体的には、図６（ａ）に示すように、取り付け部１Ｃは、本体部１Ａの左半部における長手方向Ｘの外方寄りの半部と、本体部１Ａの右半部における長手方向Ｘの外方寄りの半部とを覆っている。取り付け部１Ｃの幅方向Ｙの長さは、本体部１Ａにおける肌側シート２の幅方向Ｙの長さと略一致している。
【００３７】
矩形をしている取り付け部１Ｄは、その幅方向を本体部１Ａの幅方向Ｙと一致させて本体部１Ａに固定されている。取り付け部１Ｄは、その幅方向の一辺が、本体部１Ａにおける肌側シート２の左辺及び右辺の位置と一致するように、該肌側シート２の左辺域及び右辺域に固定されている。
【００３８】
図６（ｂ）は、図６（ａ）に示す展開状態の発熱具１において、各取り付け部１Ｄを１８０度側方に反転させた状態を示している。同図に示すように、取り付け部１Ｄは、その２つの面のうち、本体部１Ａの内面と対向する面である本体部対向面に、粘着剤が塗布されて形成された粘着部７を有している。粘着部７は、各取り付け部１Ｄにおける本体部対向面の全域に形成されている。本体部対向面と対向する本体部１Ａの内面には、剥離処理が施されており、取り付け部１Ｄの本体部対向面が、本体部１Ａの内面から容易に剥離できるようになっている。
【００３９】
本実施形態においても、先に説明した第５の実施形態と同様に、各取り付け手段１Ｄを、本体部１Ａの内面シート２側に位置させた状態で、該本体部１Ａを幅方向Ｙに延びる折り線Ｆに沿って二つ折りに折り畳み、更に外縁延出部３ａを剥離可能接合部（図示せず）によって気密に接合する。これによって、各取り付け手段１Ｄは本体部１Ａの内部に完全に内包され、外方には全く露出してなくなり、かつ本体部１Ａの肌側シート２も、外方には全く露出してなくなる。その結果、発熱具１は、先に説明した実施形態における図１（ａ）に示す状態と同じになる。
【００４０】
本実施形態の発熱具１を使用する場合には、先に説明した図１（ａ）に示す状態から、本体部１Ａの左半部と右半部とを接合している接合部６を剥離して、図６（ａ）に示す状態に開いた後、更に図６（ｂ）に示すように、各取り付け手段１Ｄを１８０度側方に折り返して粘着部７を露出させる。そして露出した粘着部７を使用者の肌又は下着等の着衣に当接させて、発熱具１を固定すればよい。
【００４１】
図７（ａ）ないし（ｃ）には、本発明の身体装着具の第７の実施形態としてのマスク１０が示されている。このマスク１０は、使用者の鼻から顎にかけての部位を覆うために用いられるものである。マスク１０は、本体部１０Ａと、本体部１０Ａを使用者の顔面に固定するための取り付け部１０Ｂとを有している。図７（ｃ）に示すように、図７（ａ）に示す状態のマスク１０を展開した使用状態において、本体部１０Ａは、長手方向Ｘとこれに直交する幅方向Ｙを有する横長の矩形状をしている。本体部１０Ａは、マスク１０の使用時に使用者の肌に対向する肌側シート１２と、マスク１０の使用時に外方を向く最外側シート１３とを有している。
【００４２】
最外側シート１３は、肌側シート１２の外縁から外方に延出する外縁延出部１３ａを有している。外縁延出部１３ａは、肌側シート１２を取り囲んでいる。肌側シート１２と最外側シート１３とは、本体部１０Ａの幅方向Ｙに沿ってのみ接合部が形成されている。具体的には、肌側シート２１の長手方向Ｘの両端部に、幅方向Ｙに沿って剥離不能接合部８が形成されている。
【００４３】
肌側シート１２及び最外層シート１３としては、マスク１０の具体的な用途に応じて適切な材料が用いられる。例えばこれらのシート１２，１３として、メルトブローン不織布、スパンボンド不織布、それらの積層体（例えばスパンボンド−メルトブローン−スパンボンド不織布）、ニードルパンチ不織布、エアスルー不織布などが挙げられる。肌側シート１２は、通気性の材料であることが好ましい。最外側シート１３は、通気性の材料でもよいが、非通気性の材料であるほうが良い。
【００４４】
図７（ａ）に示す状態のマスク１０を展開した使用状態において、本体部１０Ａの幅方向Ｙに沿った各側縁部の位置における肌側シート２上には、紐部材からなる取り付け部１０Ｂが取り付けられている。取り付け部１０Ｂの詳細は第１の実施形態等と同様である。取り付け部１０Ｂは、これを使用者の耳に掛けることで、鼻から顎にかけての部位を本体部１０Ａによって覆った状態を維持する目的で用いられる。
【００４５】
図７（ｃ）に示す状態の本体部１０Ａは、幅方向Ｙに延びる折り線Ｆに沿って二つ折りされている。この場合、肌側シート１２が内側になるように二つ折りされる。このとき、取り付け手段１０Ｂを、本体部１０Ａの肌側シート側に位置させた状態で該本体部１０Ａを折り畳む。二つ折りに折り畳まれた状態の本体部１０Ａは、その折り畳み状態が維持されるように、折り畳まれた状態の該本体部１０Ａにおける対向面の少なくとも一部が剥離可能に固定されている。詳細には、二つ折りされた状態の本体部１０Ａにおける、外縁延出部３ａのうち、側縁部１５に位置する部位が、幅方向Ｙの略中央域のみにおいて接合されて剥離可能接合部１６が形成されている。これによって本体部１０Ａの二つ折り状態が維持されている。本実施形態においては、先に説明した各実施形態と異なり、剥離可能接合部１６を気密に形成することを要しない。すなわち、外縁延出部３ａの剥離可能接合部１６は不連続接合であって良い。
【００４６】
本実施形態のマスク１０によれば、これまで説明してきた実施形態と同様に、最外側シート１３の硬さを知覚しづらく、良好な装着感が得られる。また、空気の流通が、肌側シート１２と最外側シート１３との非接合部においても行われるので、息苦しさを感じることもない。このことは、特に、最外側シート１３が非通気性である場合に有効である。更に本実施形態のマスク１０は、それが使用される前まで、接顔面である肌側シート１２側の面がマスク１０の内側になっているので、該接顔面が埃やウイルスと接触しづらい状態になっている。したがって、マスク１０を外装袋等に個別包装しなくても、使用前まで、接顔面の衛生的な状態が保たれているという利点がある。
【００４７】
本実施形態のマスク１０においては、その機能を高める目的で、肌側シート１２と最外側シート１３との間に、各種の機能性部材、例えばフィルタ、賦香材、吸着剤等を配置してもよい。
【００４８】
以上、本発明をその好ましい実施形態に基づき説明したが、本発明は前記の実施形態に制限されない。例えば前記実施形態においては、身体装着具として発熱具及びマスクを例にとり説明をしたが、本発明の身体装着具はこれらに制限されず、例えば人体から排出される液の吸収に使用される吸収性物品、パップ剤、絆創膏等に適用することもできる。
【００４９】
また、前記の各実施形態においては、最外側シートが肌側シートの外縁から延出していたが、これに代えて、同形同寸の最外側シート及び肌側シート、あるいは肌側シートが最外側シートより大きく、肌側シートを折り畳んで最外側シートに内包するものであってもよい。
【００５０】
また、第５の実施形態においては、取り付け部１Ｃが、本体部１Ａの内面の略上半部を覆っていたが、これに代えて本体部１Ａの内面の全域を覆っていてもよい。また、取り付け部１Ｃを２枚用いて、その一方を、４２（ａ）に示すように取り付け、他の一方を、その長手方向の一辺が、本体部１Ａにおける肌側シート２の下辺の位置と一致するように、該肌側シート２の下辺域に固定して、２枚の取り付け部１Ｃによって、本体部１Ａの内面の全域を覆うようにしてもよい。
【００５１】
また、第６の実施形態においては、２枚の取り付け部１Ｄを用いたが、これに代えて一方の取り付け部１Ｄのみを用いてもよい。その場合には、第５の実施形態に関して説明した図５（ａ）及び（ｂ）に示す使用形態とすればよい。
【００５２】
また前記の各実施形態において、折り畳まれた本体部１Ａ，１０Ａの間に、発熱具１又はマスク１０の取り扱い説明書を配してもよい。
【００５３】
また前記の各実施形態においては、本体部１Ａ，１０Ａを二つ折りにしたが、肌側シートが内側になり、かつ該肌側シートが外方に露出しないような折り畳み形状となる限りにおいて、本体部を三つ折り以上に折り畳んでもよい。
【符号の説明】
【００５４】
１  発熱具
１Ａ  本体部
１Ｂ  取り付け部
２  肌側シート
３  最外側シート
３ａ  外縁延出部
４  発熱部
５  側縁部
６  剥離可能接合部
７  粘着部
８  剥離不能接合部
１０  マスク
【図１】
2012005790.tif 000003
【図２】
2012005790.tif 000004
【図３】
2012005790.tif 000005
【図４】
2012005790.tif 000006
【図５】
2012005790.tif 000007
【図６】
2012005790.tif 000008
【図７】
2012005790.tif 000009